(57)【要約】【課題】実使用環境に常に適合した色調に調整した画像を表示させることができる画像表示装置及び画像調整方法を提供する。【解決手段】画像表示装置１００は、画像信号を取得する取得部１７０と、照度を測定するセンサー１２１と、照度が属する範囲として予め定められた複数の第１範囲と複数の色調との対応関係を表す複数のデーターテーブルを、該データーテーブルが対応する照度の上限値から下限値までの範囲である第２範囲毎に予め記憶するＮＶＲＡＭ１５０と、測定回数が多い順に複数の第１範囲を抽出し、抽出した複数の第１範囲の測定回数に基づいてデーターテーブルを選択するＭＰＵ１６０と、ＭＰＵ１６０が選択したデーターテーブルに基づいて、画像信号による画像の色調を調整する色調調整部１８０と、色調調整部１８０が色調を調整した画像を出力する画像出力部１９０とを備える。【選択図】図１
2012145853.tif 000002
【特許請求の範囲】
【請求項１】
画像信号を取得する取得部と、
照度を測定するセンサーと、
前記センサーが測定した照度が属する範囲として予め定められた複数の第１範囲と複数の色調との対応関係を表す複数のデーターテーブルを、該データーテーブルが対応する照度の上限値から下限値までの範囲である第２範囲毎に予め記憶する記憶部と、
前記センサーが照度を測定した回数である測定回数を前記第１範囲毎に算出し、前記測定回数が多い順に複数の前記第１範囲を抽出し、抽出した複数の前記第１範囲の前記測定回数に基づいて前記データーテーブルを選択する選択部と、
前記選択部が選択した前記データーテーブルに基づいて、前記画像信号による画像の色調を調整する色調調整部と、
前記色調調整部が色調を調整した画像を出力する画像出力部と、
を備えることを特徴とする画像表示装置。
【請求項２】
前記選択部は、前記データーテーブルが対応する照度の主範囲として予め定められた第３範囲に、前記測定回数の最も多い前記第１範囲の下限値が収まる前記データーテーブルを選択することを特徴とする請求項１に記載の画像表示装置。
【請求項３】
前記選択部は、前記データーテーブルが対応する照度の主範囲として予め定められた第３範囲に、前記測定回数の最も多い前記第１範囲の下限値が収まる前記データーテーブルであり、且つ、抽出した複数の前記第１範囲が全て収まる前記第２範囲を有する前記データーテーブルを選択することを特徴とする請求項１に記載の画像表示装置。
【請求項４】
前記選択部は、前記データーテーブルが対応する照度の主範囲として予め定められた第３範囲に、前記測定回数の最も多い前記第１範囲の下限値が収まる前記データーテーブルが無い場合、予め定められた前記データーテーブルを選択することを特徴とする請求項１に記載の画像表示装置。
【請求項５】
画像信号を取得する取得部と、前記取得部で取得された画像信号が表す画像の色調を調整する色調調整部と、前記色調調整部で調整された画像を表示するための画像出力部と、を備えた画像表示装置における画像調整方法であって、
センサーが測定した照度が属する範囲として予め定められた複数の第１範囲と複数の色調との対応関係を表す複数のデーターテーブルを、該データーテーブルが対応する照度の上限値から下限値までの範囲である第２範囲毎に予め記憶部に記憶し、
前記センサーが照度を測定した回数である測定回数を前記第１範囲毎に算出し、前記測定回数が多い順に複数の前記第１範囲を抽出し、抽出した複数の前記第１範囲の前記測定回数に基づいて前記記憶部に記憶された前記データーテーブルを選択し、
選択された前記データーテーブルに基づいて、前記色調調整部によって前記画像信号が表す画像の色調を調整する
ことを特徴とする画像調整方法。
【発明の詳細な説明】
【技術分野】
【０００１】
本発明は、画像表示装置及び画像調整方法に関する。
【背景技術】
【０００２】
照明センサーにより周囲の照度を測定し、測定した照度に基づいて、光源から射出される光の強さを調整する画像表示装置（プロジェクター）がある。特許文献１に開示された画像投影システムでは、リモートコントローラーが照明センサーを備えている。このリモートコントローラーは、自らが備える照明センサーが測定した照度を画像表示装置に送信する。これにより、特許文献１に開示された画像表示装置は、リモートコントローラーから受信した照度に基づいて、光源から射出される光の強さを調整することができる。
【先行技術文献】
【特許文献】
【０００３】
【特許文献１】特開２００８−２４４６７１号公報
【発明の概要】
【発明が解決しようとする課題】
【０００４】
ところで、画像表示装置が実際に使用される環境は、例えば、住宅のリビングルーム（ホームユース）、会社の会議室（ビジネスユース）、及び学校の教室（文教ユース）など、いくつか想定される。しかしながら、特許文献１に開示された画像表示装置は、予め想定されたある１つの使用環境のみに適合する１つのデーターテーブルのみを記憶している。このため、このような画像表示装置は、実使用環境が変わっても、常に１つの実使用環境のみに適合する１つのデーターテーブルに基づいて色調を調整するので、実使用環境に適合していない色調に調整した画像を表示してしまうことがある。
【０００５】
本発明は、前記の点に鑑みてなされたものであり、実使用環境に常に適合した色調に調整した画像を表示することができる画像表示装置及び画像調整方法を提供することを目的とする。
【課題を解決するための手段】
【０００６】
本発明は、上記の課題を解決するためになされたものであり、画像信号を取得する取得部と、照度を測定するセンサーと、前記センサーが測定した照度が属する範囲として予め定められた複数の第１範囲と複数の色調との対応関係を表す複数のデーターテーブルを、該データーテーブルが対応する照度の上限値から下限値までの範囲である第２範囲毎に予め記憶する記憶部と、前記センサーが照度を測定した回数である測定回数を前記第１範囲毎に算出し、前記測定回数が多い順に複数の前記第１範囲を抽出し、抽出した複数の前記第１範囲の前記測定回数に基づいて前記データーテーブルを選択する選択部と、前記選択部が選択した前記データーテーブルに基づいて、前記画像信号による画像の色調を調整する色調調整部と、前記色調調整部が色調を調整した画像を出力する画像出力部と、を備えることを特徴とする画像表示装置である。
画像表示装置は、第1範囲の照度範囲の測定回数に基づいてデーターテーブルを選択し、選択されたデーターテーブルに基づいて画像の色調を調整するので、これにより、実使用環境に常に適合した色調に調整した画像を表示することができる。画像表示装置は、１台でも複数の実使用環境に常に適合した色調に調整した画像を表示することができる。
【０００７】
また、本発明は、前記選択部が、前記データーテーブルが対応する照度の主範囲として予め定められた第３範囲に、前記測定回数の最も多い前記第１範囲の下限値が収まる前記データーテーブルを選択することを特徴とする画像表示装置である。
画像表示装置は、測定回数の最も多い第１範囲の照度範囲の下限値が収まるデーターテーブルを選択するので、これにより、最も多い測定回数の照度範囲をサポートして、実使用環境に常に適合した色調に調整した画像を表示することができる。
【０００８】
また、本発明は、前記選択部が、前記データーテーブルが対応する照度の主範囲として予め定められた第３範囲に、前記測定回数の最も多い前記第１範囲の下限値が収まる前記データーテーブルであり、且つ、抽出した複数の前記第１範囲が全て収まる前記第２範囲を有する前記データーテーブルを選択することを特徴とする画像表示装置である。
画像表示装置は、抽出した複数の照度範囲が全て収まるデーターテーブルを選択するので、これにより、測定回数の多い順に複数の照度範囲をサポートして、実使用環境に常に適合した色調に調整した画像を表示することができる。
【０００９】
また、本発明は、前記選択部が、前記データーテーブルが対応する照度の主範囲として予め定められた第３範囲に、前記測定回数の最も多い前記第１範囲の下限値が収まる前記データーテーブルが無い場合、予め定められた前記データーテーブルを選択することを特徴とする画像表示装置である。
画像表示装置は、予め定められたデーターテーブルを選択するので、予め定められたデーターテーブルにより、最も多い測定回数の照度範囲以外をサポートして、実使用環境に常に適合した色調に調整した画像を表示することができる。
【００１０】
また、本発明は、画像信号を取得する取得部と、前記取得部で取得された画像信号が表す画像の色調を調整する色調調整部と、前記色調調整部で調整された画像を表示するための画像出力部と、を備えた画像表示装置における画像調整方法であって、センサーが測定した照度が属する範囲として予め定められた複数の第１範囲と複数の色調との対応関係を表す複数のデーターテーブルを、該データーテーブルが対応する照度の上限値から下限値までの範囲である第２範囲毎に予め記憶部に記憶し、前記センサーが照度を測定した回数である測定回数を前記第１範囲毎に算出し、前記測定回数が多い順に複数の前記第１範囲を抽出し、抽出した複数の前記第１範囲の前記測定回数に基づいて前記記憶部に記憶された前記データーテーブルを選択し、選択された前記データーテーブルに基づいて、前記色調調整部によって前記画像信号が表す画像の色調を調整することを特徴とする画像調整方法である。
画像表示装置は、照度範囲の測定回数に基づいてデーターテーブルを選択し、選択されたデーターテーブルに基づいて画像の色調を調整するので、これにより、実使用環境に常に適合した色調に調整した画像を表示することができる。画像表示装置は、１台でも複数の実使用環境に常に適合した色調に調整した画像を表示することができる。
【００１１】
本発明によれば、画像表示装置は、実使用環境に常に適合した色調に調整した画像を表示することができる。
【図面の簡単な説明】
【００１２】
【図１】本発明の一実施形態における、画像表示装置の構成を表すブロック図である。
【図２】本発明の一実施形態における、センサーの配置、及び操作部の操作ボタンの配置を表す図である。
【図３】本発明の一実施形態における、照度グループＩＤと照度範囲との対応関係を表す照度ＩＤ対応テーブルである。
【図４】本発明の一実施形態における、照度グループＩＤ毎の測定回数の分布を示す表である。
【図５】本発明の一実施形態における、ホームユース及び文教ユースの照度と複数の色調との対応関係の目安と、日本工業規格（ＪＩＳ）照度基準とを表す図である。
【図６】本発明の一実施形態における、ホームユースに使用される照度・色調モード対応テーブルのエリアマップを示す表である。
【図７】本発明の一実施形態における、文教ユースに使用される照度・色調モード対応テーブルのエリアマップを示す表である。
【図８】本発明の一実施形態における、照度グループＩＤ毎の測定回数の分布の履歴である。
【図９】本発明の一実施形態における、画像出力部の構成を表すブロック図である。
【図１０】本発明の一実施形態における、起動時に照度グループＩＤの記録を開始する画像表示装置の動作手順を表すフローチャートである。
【図１１】本発明の一実施形態における、稼働中に照度グループＩＤを記録する画像表示装置の動作手順を表すフローチャートである。
【図１２】本発明の一実施形態における、終了時に照度グループＩＤの履歴を記録する画像表示装置の動作手順を表すフローチャートである。
【図１３】本発明の一実施形態における、照度・色調モード対応テーブルを選択する画像表示装置の動作手順を表すフローチャートである。
【図１４】本発明の一実施形態における、オート・カラー・オプティマイザー機能を実行させるＭＰＵの動作手順を表すフローチャートである。
【発明を実施するための形態】
【００１３】
本発明の一実施形態について図面を参照して詳細に説明する。画像表示装置（液晶表示装置、プロジェクター）は、入力された画像信号に所定の色調調整を施し、色調調整後の画像信号に基づく画像を、光源から射出された光を変調することによりスクリーンに投写する。スクリーンに画像を投写する際、画像表示装置は、センサーが測定した照度に基づいて、画像の色調（例えば、光源の発光量、画質）を精度よく調整する。
【００１４】
まず、画像表示装置の構成について説明する。
図１には、画像表示装置の構成がブロック図により表されている。画像表示装置１００は、受信部１１０と、操作部１２０と、センサー１２１と、ＲＡＭ（Ｒａｎｄｏｍ Ａｃｃｅｓｓ Ｍｅｍｏｒｙ）１３０と、ＲＯＭ（Ｒｅａｄ Ｏｎｌｙ Ｍｅｍｏｒｙ）１４０と、ＮＶＲＡＭ（Ｎｏｎ Ｖｏｌａｔｉｌｅ ＲＡＭ、不揮発性ＲＡＭ）１５０と、ＭＰＵ（Ｍｉｃｒｏ Ｐｒｏｃｅｓｓｉｎｇ Ｕｎｉｔ、マイクロプロセッサ）１６０と、取得部１７０と、色調調整部１８０と、画像出力部１９０とを備える。
【００１５】
受信部１１０は、リモートコントローラー（不図示）への操作入力に応じたボタン押下情報（キーコード）を、そのリモートコントローラーから赤外線により受信し、受信したボタン押下情報をＭＰＵ１６０に出力する。
【００１６】
操作部１２０は、ユーザーが操作入力をするための操作ボタンを有するパネルであり、画像表示装置１００の天面に備えられる。操作部１２０は、ボタン押下などの操作入力を受け付け、この操作入力に応じたボタン押下情報をＭＰＵ１６０に出力する。例えば、操作部１２０は、色調モードを調整（Ｖｉｓｕａｌ  ｓｅｔｕｐ）するための色調調整パラメーターを指定する操作入力を受け付ける。色調モード毎の色調調整パラメーターとしては、例えば、カラーモード、ブライトネス、コントラスト、色合い、色の濃さ、シャープネス、色温度、光源の発光量（明るさ）、及びアイリス設定がある。
【００１７】
また、操作部１２０は、画像信号が入力される画像入力系統（Ｓｏｕｒｃｅ）を指定するための操作入力を受け付ける。また、操作部１２０は、出力する音声の音量（Ｖｏｌｕｍｅ）を調整するための操作入力を受け付ける。また、操作部１２０は、操作メニュー画面（Ｍｅｎｕ）を表示させるための操作入力を受け付ける。
【００１８】
センサー１２１は、画像表示装置１００の周辺の照度を測定し、測定した照度を表す情報（以下、「照度情報」という）をＭＰＵ１６０に出力する。図２には、センサーの配置、及び操作部の操作ボタンの配置が表されている。センサー１２１は、画像表示装置１００の天面に備えられる。センサー１２１は、画像表示装置１００の天面に入射する外光を受光することで、画像表示装置１００の周辺の照度を測定する。
【００１９】
図１に戻り、画像表示装置の構成の説明を続ける。ＲＯＭ１４０は、画像表示装置１００を動作させるためのプログラムを記憶する。このプログラムは、画像表示装置１００の起動時にＲＡＭ１３０のワークメモリーに展開される。
【００２０】
また、ＲＯＭ１４０は、照度グループＩＤと照度範囲との対応関係を表すデーターテーブルを予め記憶する。図３には、照度グループＩＤと照度範囲との対応関係を表すデーターテーブル（以下、「照度ＩＤ対応テーブル」という）が表されている。ここで、照度範囲とは、センサーが測定した照度が属する範囲として予め定められた範囲（第１範囲）である。また、照度グループＩＤとは、照度範囲（グループ）を識別するための識別情報（ＩＤ）である。
【００２１】
以下、一例として、照度グループＩＤ０は、照度範囲０〜１９［ルクス］に対応する。照度グループＩＤ０は、照度範囲０〜１９［ルクス］に対応する。照度グループＩＤ１は、照度範囲２０〜２４［ルクス］に対応する。照度グループＩＤ２は、照度範囲２５〜２９［ルクス］に対応する。照度グループＩＤ３は、照度範囲３０〜６４［ルクス］に対応する。照度グループＩＤ４は、照度範囲６５〜８０［ルクス］に対応する。照度グループＩＤ５は、照度範囲８１〜９６［ルクス］に対応する。照度グループＩＤ６は、照度範囲９７〜１９２［ルクス］に対応する。照度グループＩＤ７は、照度範囲１９３〜２４０［ルクス］に対応する。
【００２２】
また、照度グループＩＤ８は、照度範囲２４１〜２８８［ルクス］に対応する。照度グループＩＤ９は、照度範囲２８９〜４８０［ルクス］に対応する。照度グループＩＤ１０は、照度範囲４８１〜６００［ルクス］に対応する。照度グループＩＤ１１は、照度範囲６０１〜７２０［ルクス］に対応する。照度グループＩＤ１２は、照度範囲７２１〜１０００［ルクス］に対応する。照度グループＩＤ１３は、照度範囲１００１〜１２００［ルクス］に対応する。照度グループＩＤ１４は、照度範囲１２０１〜１４００［ルクス］に対応する。照度グループＩＤ１５は、照度範囲１４００〜測定最大値［ルクス］に対応する。
【００２３】
図１に戻り、画像表示装置の構成の説明を続ける。ＲＡＭ１３０は、ワークメモリーと、フレームメモリーとを備える。フレームメモリーには、取得部１７０に入力された画像信号に基づく画像フレームデータが一時記憶される。また、ワークメモリーには、プログラムを実行する際に生成される各種のデータが記憶される。
【００２４】
ＲＡＭ１３０は、照度グループＩＤ毎の測定回数の分布を表す情報を、ワークメモリーに記憶する。ここで、測定回数とは、センサー１２１が照度を測定した回数である。図４には、照度グループＩＤ毎の測定回数（記録回数）の分布が表されている。図４には、センサー１２１が測定した照度が照度０〜１９［ルクス］の範囲（照度グループＩＤ０）にあったことを記録した回数が、１２０回であることが表されている。また、センサー１２１が測定した照度が照度２０〜２４［ルクス］の範囲（照度グループＩＤ１）にあったことを記録した回数が、１５回であることが表されている。また、センサー１２１が測定した照度が照度２５〜２９［ルクス］の範囲（照度グループＩＤ２）にあったことを記録した回数が、２回であることが表されている。
【００２５】
また、センサー１２１が測定した照度が照度２４１〜２８８［ルクス］の範囲（照度グループＩＤ８）にあったことを記録した回数が、３回であることが表されている。また、センサー１２１が測定した照度が照度２４１〜２８８［ルクス］の範囲（照度グループＩＤ９）にあったことを記録した回数が、２５回であることが表されている。また、センサー１２１が測定した照度が照度４８１〜６００［ルクス］の範囲（照度グループＩＤ１０）にあったことを記録した回数が、１回であることが表されている。また、センサー１２１が測定した照度が他の照度範囲にあったことを記録した回数が、０回であることが表されている。
【００２６】
図１に戻り、画像表示装置の構成の説明を続ける。ＮＶＲＡＭ１５０は、不揮発性ＲＡＭであり、操作入力によりユーザーが指定した色調調整パラメーターの値を記憶する。また、ＮＶＲＡＭ１５０は、複数の照度範囲と複数の色調モードとの対応関係を表す複数のデーターテーブル（以下、「照度・色調モード対応テーブル」という）を予め記憶する。ここで、画像表示装置１００が実際に使用される環境、例えば、住宅のリビングルーム（ホームユース）、会社の会議室（ビジネスユース）、及び学校の教室（文教ユース）のそれぞれにおいて想定された照度の上限値から下限値までの範囲（第２範囲）毎に、ＮＶＲＡＭ１５０は、照度・色調モード対応テーブルを記憶する。
【００２７】
図５には、ホームユース及び文教ユースにおける、照度と複数の色調との対応関係の目安と、日本工業規格（ＪＩＳ）照度基準とが表されている。ホームユースでは、照度０〜２９［ルクス］の範囲に色調モード０が対応する。また、照度３０〜９９［ルクス］の範囲に色調モード１が対応する。また、照度１００〜２９９［ルクス］の範囲に色調モード２が対応する。また、照度３００［ルクス］以上に色調モード３が対応する。一方、文教ユースでは、照度０〜７４［ルクス］の範囲に色調モード０が対応する。また、照度７５〜２９９［ルクス］の範囲に色調モード１が対応する。また、照度３００〜７４９［ルクス］の範囲に色調モード２が対応する。また、照度７５０［ルクス］以上に色調モード３が対応する。
【００２８】
図６には、ホームユースに使用される照度・色調モード対応テーブルのエリアマップが表されている。このエリアマップは、ＮＶＲＡＭ１５０における第１相対アドレス（００００Ｈ〜）により表されている。
【００２９】
「照度取得間隔」は、センサー１２１が測定した照度をＭＰＵ１６０が取得する時間間隔（例えば、１００［ｍｓ］）である。照度取得間隔は、第１相対アドレス００００１Ｈに記憶され、サイズが１［バイト］、最小値が５、最大値が２０である。
【００３０】
「色調モード数」は、切り替えることが可能である色調モードの数である。色調モード数は、第１相対アドレス０００１Ｈに記憶され、サイズが１［バイト］、最小値が１、最大値が８である。
【００３１】
「判断履歴数」は、過去に取得した何回分の照度情報に基づいて現在の照度を算出するかを表すパラメーターである。判断履歴数は、第１相対アドレス０００２Ｈに記憶され、サイズが１［バイト］、最小値が１、最大値が２０である。
【００３２】
「次変化間隔（変化後の固定期間）」は、照度の変化を検出してから、次に検出するまでの時間を表すパラメーターである。変化後の固定期間は、第１相対アドレス０００４Ｈに記憶され、サイズが１［バイト］、最小値が０（０［ｍｓ］）、最大値が２０（２００［ｍｓ］）である。ここで、次変化間隔は、１００［ｍｓ］単位である。
【００３３】
「変化の仕方」は、色調モードを段階的に切り替えるか、又は色調モードを一気に切り替えるかを示すフラグである。変化の仕方は、第１相対アドレス０００５Ｈに記憶され、サイズが１［バイト］、最小値が０、最大値が１である。ここで、値０は、色調モードを一気に切り替えることを意味する。また、値１は、色調モードを段階的に切り替えることを意味する。
【００３４】
「初期色調モード」は、オート・カラー・オプティマイザー（自動色調調整）処理が開始される際に使用される色調モードＩＤの初期値である。初期色調モードは、第１相対アドレス０００６Ｈに記憶され、サイズが１［バイト］、最小値が０、最大値が７である。
【００３５】
「センサー透過率」は、センサー１２１の露出時間の補正値であり、オート・カラー・オプティマイザー処理が開始される際に使用される初期値である。センサー透過率は、第１相対アドレス０００７Ｈに記憶され、サイズが１［バイト］、最小値が３０、最大値が１５０である。
【００３６】
「過渡状態判別閾値（ルクス）」は、センサー１２１から取得した照度が過渡状態であるか否かを判定するための閾値である。過渡状態判別閾値は、第１相対アドレス０００７Ｈに記憶され、サイズが１［バイト］、最小値が０、最大値が１００である。
【００３７】
「過渡状態判別期間（回数）」は、センサー１２１から取得した照度情報の変化が過渡状態であるか否かを判定するための期間（回数）である。過渡状態判別期間は、第１相対アドレス０００８Ｈに記憶され、サイズが１［バイト］、最小値が０、最大値が２０である。
【００３８】
「想定メイン照度（下限）」は、照度・色調モード対応テーブルが対応する照度の主範囲（メイン照度）として予め定められた範囲（第３範囲）の下限値である。想定メイン照度（下限）は、第１相対アドレス０００ＡＨに記憶され、サイズが１［バイト］、最小値が０である。ホームユースに使用される照度・色調モード対応テーブルでは、例えば、値０である。
【００３９】
「想定メイン照度（上限）」は、照度・色調モード対応テーブルが対応する照度の主範囲（メイン照度）として予め定められた範囲（第３範囲）の上限値である。想定メイン照度（上限）は、第１相対アドレス０００ＢＨに記憶され、サイズが１［バイト］である。ホームユースに使用される照度・色調モード対応テーブルでは、例えば、値２８８である。
【００４０】
「想定サポート照度（下限）」は、照度・色調モード対応テーブルが対応（サポート）する照度の下限値である。想定サポート照度（下限）は、第１相対アドレス０００ＣＨに記憶され、サイズが１［バイト］、最小値が０である。ホームユースに使用される照度・色調モード対応テーブルでは、例えば、値０である。
【００４１】
「想定サポート照度（上限）」は、照度・色調モード対応テーブルが対応（サポート）する照度の上限値である。想定サポート照度（上限）は、第１相対アドレス０００ＤＨに記憶され、サイズが１［バイト］である。ホームユースに使用される照度・色調モード対応テーブルでは、例えば、値４８０である。
【００４２】
「最大閾値（色調モードＩＤ）」は、色調モードＩＤ（図５では、色調モード０〜３）と、それらの色調モードがカバーする最大照度との対応関係を表す。「最大閾値（色調モードＩＤ）」は、オート・カラー・オプティマイザー処理が開始される際、及び照度の変化を検出する際に参照される。「最大閾値（色調モードＩＤ）」は、第１相対アドレス００１０Ｈ〜００１７Ｈに記憶され、サイズが１６［バイト］、最小値が０、最大値が６５５３５である。
【００４３】
「変化最小閾値（色調モードＩＤ）」及び「変化最大閾値（色調モードＩＤ）」は、色調モードＩＤと、その色調モードＩＤが表す照度範囲の下限値及び上限値との対応関係を表す。「変化最小閾値（色調モードＩＤ）」及び「変化最大閾値（色調モードＩＤ）」は、色調モードを切り替えるための条件テーブルである。
【００４４】
ＭＰＵ１６０が色調モードを切り替える際のヒステリシスは、「変化最小閾値（色調モードＩＤ）」及び「変化最大閾値（色調モードＩＤ）」に応じて変化する。「変化最小閾値（色調モードＩＤ）」及び「変化最大閾値（色調モードＩＤ）」は、第１相対アドレス００１８Ｈ〜００２７Ｈに記憶され、サイズが３２［バイト］、最小値が０、最大値が６５５３５である。
【００４５】
ＮＶＲＡＭ１５０における第１相対アドレス００２８Ｈ〜００３０、及び００５８Ｈ〜００６０Ｈには、画像入力系統が「ＤＶＤ／ＵＳＢ（Ｄｉｇｉｔａｌ Ｖｅｒｓａｔｉｌｅ Ｄｉｓc／Ｕｎｉｖｅｒｓａｌ Ｓｅｒｉａｌ Ｂｕｓ）」である場合における、色調モードＩＤ毎の色調調整パラメーターが記憶されている。第１相対アドレス００２８Ｈ〜００３０には、色調モードＩＤが０である場合（図５を参照）に使用される色調調整パラメーターとして、カラーモード値３と、明るさ値「−５」と、コントラスト値５と、色合い値「−５」と、色の濃さ値２と、シャープネス値０と、色温度値０と、光源明るさ値（光源の発光量）１と、アイリス設定値１とが、予め定められている。
【００４６】
また、第１相対アドレス００５８Ｈ〜００６０Ｈには、色調モードＩＤが１である場合（図５を参照）に使用される色調調整パラメーターとして、カラーモード値７と、明るさ値「−２」と、コントラスト値３と、色合い値４と、色の濃さ値４と、シャープネス値２と、色温度値１と、光源明るさ値（光源の発光量）０と、アイリス設定値０とが、予め定められている。他の画像入力系統及び色調モードについても同様に予め定められ、ＮＶＲＡＭ１５０に記憶されている。
【００４７】
図７には、文教ユースに使用される照度・色調モード対応テーブルのエリアマップが表されている。このエリアマップは、ＮＶＲＡＭ１５０における第２相対アドレス（００００Ｈ〜）により表されている。
【００４８】
文教ユースに使用される照度・色調モード対応テーブルの各項目は、ホームユースにおける各項目と同様に予め定められる。例えば、文教ユースに使用される照度・色調モード対応テーブルでは、「想定メイン照度（下限）」は、値２８９である。また、「想定メイン照度（上限）」は、値６００である。また、「想定サポート照度（下限）」は、値３０である。また、「想定サポート照度（上限）」は、値７２０である。このように、センサー１２１が測定した照度が同じであったとしても、使用される照度・色調モード対応テーブルが異なれば、色調調整パラメーターは異なる。
【００４９】
また、ＮＶＲＡＭ１５０は、予め定められた照度・色調モード対応テーブルとして、マルチユース（ホームユース及びビジネスユースの両方）を想定した照度・色調モード対応テーブル（不図示）を更に記憶する。
【００５０】
ＮＶＲＡＭ１５０は、照度グループＩＤ毎の測定回数の分布（図４を参照）の履歴を記憶する。図８には、照度グループＩＤ毎の測定回数（記録回数）の分布の履歴が表されている。この履歴は、稼働状態からスタンバイ状態に画像表示装置１００が移行する際に更新される。図８では、１回前から２０回前までの履歴が表されている。
【００５１】
図１に戻り、画像表示装置の構成の説明を続ける。ＭＰＵ１６０には、リモートコントローラー（不図示）への操作入力に応じたボタン押下情報（キーコード）が、受信部１１０から入力される。また、ＭＰＵ１６０は、センサー１２１が測定した照度情報を、照度・色調モード対応テーブルの照度センサー取得間隔（図６及び７を参照）に応じた周期で、センサー１２１から取得する。
【００５２】
また、ＭＰＵ１６０には、操作部１２０への操作入力に応じたボタン押下情報が、操作部１２０から入力される。ＭＰＵ１６０は、操作部１９０から入力されたボタン押下情報に基づいて、オート・カラー・オプティマイザー（Ａｕｔｏ  Ｃｏｌｏｒ  Ｏｐｔｉｍｉｚｅｒ）機能を色調調整部１８０に実行させる。ここで、オート・カラー・オプティマイザー機能とは、センサーが測定した照度に応じて、画像表示装置が画像の色調を最適に調整する機能である。
【００５３】
ＭＰＵ１６０は、ボタン押下情報に基づいて、取得部１７０が有する複数の画像入力系統から、画像信号を取得する画像入力系統を選択し、選択した画像入力系統を取得部１７０に通知する。また、ＭＰＵ１６０は、センサー１２１が測定した照度が属する照度範囲に対応する照度グループＩＤを、照度ＩＤ対応テーブル（図３を参照）に基づいて求め、求めた照度グループＩＤ毎の測定回数の分布（図４を参照）を、ＲＡＭ１３０のワークメモリーに記憶させる。
【００５４】
ＭＰＵ１６０は、光源１４（図９を参照）が点灯した際、センサー１２１のリセット状態を解除し、センサー１２１に対して所定の初期設定を実行する。また、ＭＰＵ１６０は、光源１４が点灯した際、オート・カラー・オプティマイザー機能を色調調整部１８０に実行させる。オート・カラー・オプティマイザー機能を実行させるＭＰＵ１６０の動作手順については、図１４を用いて後述する。また、ＭＰＵ１６０は、光源１４が消灯した際、センサー１２１から照度情報を取得する処理を停止する。
【００５５】
ＭＰＵ１６０は、照度グループＩＤ毎の測定回数の分布の履歴（図８を参照）に基づいて、センサー１２１が照度を測定した回数である測定回数を照度グループＩＤの照度範囲毎に算出し、測定回数が多い順に複数の照度範囲を抽出する。ここで、ＭＰＵ１６０は、測定回数の総和を照度グループＩＤ毎に算出する。
【００５６】
また、ＭＰＵ１６０（選択部）は、抽出した複数の照度範囲の測定回数に基づいて、照度・色調モード対応テーブル（図６及び７を参照）を選択する。ここで、ＭＰＵ１６０は、抽出した照度範囲を対象とした照度・色調モード対応テーブルを選択する。
【００５７】
画像表示装置は、照度範囲の測定回数に基づいて照度・色調モード対応テーブルを選択するので、これにより、実使用環境に常に適合した色調に調整した画像を表示することができる。画像表示装置は、１台でも複数の実使用環境に常に適合した色調に調整した画像を表示することができる。
【００５８】
ＭＰＵ１６０は、想定メイン照度（上限）から想定メイン照度（下限）までの範囲に、測定回数の最も多い照度グループＩＤの照度範囲の下限値（図３を参照）が収まる照度・色調モード対応テーブルを、ＮＶＲＡＭ１５０から検索する。
【００５９】
この検索により、ＭＰＵ１６０は、想定メイン照度（上限）から想定メイン照度（下限）までの範囲（図６及び７を参照）に、測定回数の最も多い照度グループＩＤの照度範囲の下限値が収まる照度・色調モード対応テーブルが無い場合、予め定められた照度・色調モード対応テーブルを選択する。この場合、ＭＰＵ１６０は、マルチユース（ホームユース及びビジネスユースの両方）を想定した照度・色調モード対応テーブルを選択する。
【００６０】
画像表示装置は、マルチユースを想定した照度・色調モード対応テーブルを選択するので、マルチユースを想定した照度・色調モード対応テーブルにより、最も多い測定回数の照度範囲以外をサポートして、実使用環境に常に適合した色調に調整した画像を表示することができる。
【００６１】
一方、ＭＰＵ１６０は、想定メイン照度（上限）から想定メイン照度（下限）までの範囲に、測定回数の最も多い照度グループＩＤの照度範囲の下限値が収まる照度・色調モード対応テーブルがある場合、想定サポート照度（上限）から想定サポート照度（下限）までの範囲（図６及び７を参照）に、測定回数の最も多い照度グループＩＤの照度範囲の下限値が収まる照度・色調モード対応テーブルを、ＮＶＲＡＭ１５０から検索する。
【００６２】
この検索により、ＭＰＵ１６０は、想定メイン照度（上限）から想定メイン照度（下限）までの範囲に、測定回数の最も多い照度グループＩＤの照度範囲の下限値が収まる照度・色調モード対応テーブルを選択する。
【００６３】
画像表示装置は、測定回数の最も多い照度グループＩＤの照度範囲の下限値が収まる照度・色調モード対応テーブルを選択するので、これにより、最も多い測定回数の照度範囲をサポートして、実使用環境に常に適合した色調に調整した画像を表示することができる。
【００６４】
また、この照度・色調モード対応テーブルが無い場合、ＭＰＵ１６０は、想定メイン照度（上限）から想定メイン照度（下限）までの範囲に、測定回数の最も多い照度グループＩＤの照度範囲の下限値が収まる照度・色調モード対応テーブルであり、且つ、想定サポート照度（上限）から想定サポート照度（下限）までの範囲に、抽出した複数の照度範囲が全て収まる照度・色調モード対応テーブルを選択する。
【００６５】
画像表示装置は、抽出した複数の照度範囲が全て収まる照度・色調モード対応テーブルを選択するので、これにより、測定回数の多い順に複数の照度範囲をサポートして、実使用環境に常に適合した色調に調整した画像を表示することができる。
【００６６】
ＭＰＵ１６０は、ＮＶＲＡＭ１５０にアクセスし、選択した照度・色調モード対応テーブルの色調調整パラメーターの値を、色調調整部１８０に出力する。また、ＭＰＵ１６０は、ＮＶＲＡＭ１５０にアクセスし、ユーザーが指定した色調調整パラメーターの値を、色調調整部１８０に出力する。ＭＰＵ１６０は、周辺の照度に基づいた色調調整パラメーターの値と、ユーザーが指定した色調調整パラメーターの値とにより、色調調整部１８０に所定の色調調整処理を実行させる。また、ＭＰＵ１６０は、稼働状態からスタンバイ状態に画像表示装置１００が移行する際、ＲＡＭ１３０に記憶された照度グループＩＤ毎の測定回数の分布により、照度グループＩＤ毎の測定回数の分布の履歴（図８を参照）を更新する。
【００６７】
取得部１７０は、複数の画像入力系統を有する。取得部１７０は、ＭＰＵ１６０から通知された画像入力系統から画像信号を取得し、取得した画像信号を色調調整部１８０に出力する。
【００６８】
色調調整部１８０には、ＭＰＵ１６０により選択された照度・色調モード対応テーブルの色調調整パラメーターと、ユーザーが指定した色調調整パラメーターの値とが、ＭＰＵ１６０から入力される。また、色調調整部１８０には、取得部１７０から画像信号が入力される。
【００６９】
色調調整部１８０は、オート・カラー・オプティマイザー機能を実行する。すなわち、色調調整部１８０は、ＭＰＵ１６０が選択した照度・色調モード対応テーブルの色調調整パラメーターに基づいて、画像信号による画像の色調を調整する（オート・カラー・オプティマイザー処理）。ここで、色調調整部１８０は、照度・色調モード対応テーブルにおいて定められた各色調調整パラメーターの値と、ユーザーが指定した色調調整パラメーターの値とに基づいて、画像信号に所定の色調調整を施し、色調調整後の画像信号を画像出力部１９０に出力する。
【００７０】
画像出力部１９０には、色調調整後の画像信号が色調調整部１８０から入力される。画像出力部１９０は、入力された画像信号に応じた画像をスクリーンに投写する。図９には、画像出力部の構成例がブロック図により表されている。画像出力部１９０は、照明部１０と、画像投写部５０とを備える。照明部１０は、光源部１１と、第１フライアイレンズ１２と、第２フライアイレンズ１３とを有する。光源部１１は、光源１４と、リフレクター１５とを有する。
【００７１】
光源１４は、赤色光ＬＲと、青色光ＬＢと、緑色光ＬＧとを、それぞれ独立に射出する。光源１４は、例えば、ランプ又は固体光源である。リフレクター１５は、光源１４が射出した光を反射する。フライアイレンズ１２及び１３は、複数のレンズ１６及び１７を有し、光源１４が射出した光の照度分布を、画像投写部５０において均一化させる。
【００７２】
画像投写部５０は、色分離合成部２０と、投写光学系４０とを有する。色分離合成部２０は、ダイクロイックミラー２１及び２２と、反射ミラー２３〜２５と、リレーレンズ２６〜２８と、透過型液晶ライトバルブ３０〜３２と、クロスダイクロイックプリズム３３とを有する。
【００７３】
光源１４が射出した光は、色分離合成部２０に入射する。ここで、光源１４が射出した光は、色分離合成部２０の透過型液晶ライトバルブ（光変調素子）３０〜３２において、フライアイレンズ１２及び１３によって照度分布が均一化されている。
【００７４】
ダイクロイックミラー２１及び２２は、所定の色光を選択的に反射し、それ以外の波長の光を透過する。例えば、ダイクロイックミラー２１及び２２は、ガラス表面に誘電体多層膜が積層されることにより製造されてもよい。
【００７５】
ダイクロイックミラー２１は、光源１４が射出した光のうち、赤色光ＬＲを透過させるとともに、青色光ＬＢ及び緑色光ＬＧを反射する。また、ダイクロイックミラー２２は、ダイクロイックミラー２１が反射した青色光ＬＢを透過させるとともに、緑色光ＬＧを反射する。
【００７６】
このようにして、光源１４が射出した赤色光ＬＲは、ダイクロイックミラー２１を透過した後、反射ミラー２５により反射され、赤色光用透過型液晶ライトバルブ３０に入射される。また。光源１４が射出した緑色光ＬＧは、ダイクロイックミラー２２により反射され、緑色光用透過型液晶ライトバルブ３１に入射される。また、光源１４が射出した青色光ＬＢは、ダイクロイックミラー２２を透過し、リレーレンズ２６と、反射ミラー２３と、リレーレンズ２７と、反射ミラー２４と、リレーレンズ２８とからなるリレー系２９を経て、青色光用透過型液晶ライトバルブ３２に入射される。
【００７７】
透過型液晶ライトバルブ３０〜３２は、光変調素子である。透過型液晶ライトバルブ３０により変調された赤色光ＬＲは、クロスダイクロイックプリズム３３に入射する。また、透過型液晶ライトバルブ３１により変調された緑色光ＬＧは、赤色光ＬＲと異なる方向からクロスダイクロイックプリズム３３に入射する。また、透過型液晶ライトバルブ３２により変調された青色光ＬＢは、赤色光ＬＲ及び緑色光ＬＧと異なる方向からクロスダイクロイックプリズム３３に入射する。
【００７８】
クロスダイクロイックプリズム３３は、直角プリズムが貼り合わされた構造を有し、その構造の内面には、赤色光ＬＲを反射するミラー面と、青色光ＬＢを反射するミラー面とが十字状に形成されている。赤色光ＬＲ、緑色光ＬＧ、及び青色光ＬＢはこれらのミラー面により合成され、合成された光が画像を形成する。
【００７９】
投写光学系４０は、投写レンズ４８を有する。クロスダイクロイックプリズム３３により形成された画像は、投写レンズ４８によりスクリーン９に拡大投写される。このようにして、画像投写部５０は、光源１４の発光を利用して、スクリーン９に画像を投写する。
【００８０】
次に、画像表示装置の動作手順を説明する。
図１０は、起動時に照度グループＩＤの記録を開始する画像表示装置の動作手順を表すフローチャートである。起動時、すなわち、スタンバイ状態から稼働状態に画像表示装置１００が移行する場合、ＭＰＵ１６０は、取得タイマーを開始させる（ステップＳ１）。ここで、取得タイマーとは、照度・色調モード対応テーブルにおいて定められた照度センサー取得間隔（図６及び７を参照）に基づいて、ＭＰＵが照度情報を取得するタイミングを表す周期タイマーである。
【００８１】
図１１は、稼働中に照度グループＩＤを記録する画像表示装置の動作手順を表すフローチャートである。取得タイマーがタイムアウトした場合、ＭＰＵ１６０は、センサー１２１から照度情報を取得する。そして、ＭＰＵ１６０は、取得した照度情報に対応する測定回数を、照度グループＩＤ毎の測定回数の分布（図４を参照）において１インクリメントする（ステップＳａ１）。
【００８２】
図１２は、終了時に照度グループＩＤの履歴を記録する画像表示装置の動作手順を表すフローチャートである。終了時、すなわち、稼働状態からスタンバイ状態に画像表示装置１００が移行する場合、ＭＰＵ１６０は、取得タイマーを終了させる（ステップＳｂ１）。また、ＭＰＵ１６０は、照度グループＩＤ毎の測定回数の分布の履歴（図８を参照）を「２回目〜２０回前」にシフトさせ、今回の稼働中にＲＡＭ１３０に記憶された照度グループＩＤ毎の測定回数の分布（図４を参照）を、照度グループＩＤ毎の測定回数の分布の履歴の「１回前」に登録する。ＭＰＵ１６０は、このように更新した照度グループＩＤ毎の測定回数の分布の履歴を、ＮＶＲＡＭ１５０に記憶させる（ステップＳｂ２）。
【００８３】
図１３は、照度・色調モード対応テーブルを選択する画像表示装置の動作手順を表すフローチャートである。起動時、すなわち、スタンバイ状態から稼働状態に画像表示装置１００が移行する場合、ＭＰＵ１６０は、ＮＶＲＡＭ１５０に記憶された照度グループＩＤ毎の測定回数の分布の履歴（図８を参照）に基づいて、測定回数（記録回数）の総和を照度グループＩＤ毎に算出する（ステップＳｃ１）。
【００８４】
ＭＰＵ１６０は、測定回数が多い順に、複数（Ｎ個）の照度グループＩＤの照度範囲を抽出する。ＭＰＵ１６０は、抽出した照度範囲の下限値を、配列Ｌ［０］〜Ｌ［Ｎ−１］に抽出順に格納する。ここで、測定回数が同じ照度範囲については、照度範囲が暗い順に抽出されて、配列Ｌ［０］〜Ｌ［Ｎ−１］に格納される。従って、配列の要素Ｌ［０］には、測定回数が最も多い照度範囲の下限値が格納される（ステップＳｃ２）。
【００８５】
ＭＰＵ１６０は、想定メイン照度（上限）から想定メイン照度（下限）までの範囲（図６及び７を参照）に、配列の要素Ｌ［０］に格納された下限値が収まる照度・色調モード対応テーブルを、ＮＶＲＡＭ１５０から検索する。また、ＭＰＵ１６０は、配列の要素Ｌ［０］に格納された下限値と想定メイン照度（下限）とが近い順に、照度・色調モード対応テーブルを識別するための識別情報（テーブルＩＤ）を、配列Ｔ［０］〜Ｔ［Ｎ−１］に格納する（ステップＳｃ３）。
【００８６】
ＭＰＵ１６０は、検索した結果、該当する照度・色調モード対応テーブルがＮＶＲＡＭ１５０にあるか否かを判定する（ステップＳｃ４）。該当する照度・色調モード対応テーブルがＮＶＲＡＭ１５０にない場合（ステップＳｃ４−Ｎｏ）、すなわち、頻度の最も高い実使用環境が、予め想定された使用環境の範囲外にある場合、ＭＰＵ１６０は、マルチユースを想定した照度・色調モード対応テーブルを選択する（ステップＳｃ５）。
【００８７】
一方、該当する照度・色調モード対応テーブルがＮＶＲＡＭ１５０にある場合（ステップＳｃ４−Ｙｅｓ）、ＭＰＵ１６０は、ステップＳｃ６からステップＳｃ１０までとステップ１３とを含むループをＭ回繰り返すため、その繰り返した回数を判定する。ここで、Ｍは、該当する照度・色調モード対応テーブルの個数である（ステップＳｃ６）。
【００８８】
ＭＰＵ１６０は、ステップＳｃ７からステップＳｃ１１までを含むループを（Ｎ−１）回繰り返すため、その繰り返した回数を判定する（ステップＳｃ７）。ＭＰＵ１６０は、測定回数が（ｊ＋１）（ｊは、１以上の整数）番目に多い照度グループＩＤの照度範囲の下限値を、配列の要素Ｌ［ｊ］から取得する（ステップＳｃ８）。
【００８９】
ＭＰＵ１６０は、想定サポート照度（上限）から想定サポート照度（下限）までの範囲に、配列の要素Ｌ［ｊ］に格納された下限値が収まるか否かを判定する（ステップＳｃ９）。ＭＰＵ１６０は、判定結果に基づいて、想定サポート照度（上限）から想定サポート照度（下限）までの範囲に、配列の要素Ｌ［ｊ］に格納された下限値が収まるか否かを判定する（ステップＳｃ１０）。
【００９０】
想定サポート照度（上限）から想定サポート照度（下限）までの範囲に、配列の要素Ｌ［ｊ］に格納された下限値が収まる場合（ステップＳｃ１０−Ｙｅｓ）、ＭＰＵ１６０は、変数ｊをインクリメントする（ステップＳｃ１１）。頻度の最も高い照度範囲をサポートすることができる照度・色調モード対応テーブルを、ＮＶＲＡＭ１５０から検索することができた場合（変数ｊとＮとが等しくなった場合）、ＭＰＵ１６０は、Ｔ［ｉ］に格納されたテーブルＩＤにより識別される照度・色調モード対応テーブルを選択する（ステップＳｃ１２）。
【００９１】
一方、想定サポート照度（上限）から想定サポート照度（下限）までの範囲に、配列の要素Ｌ［ｊ］に格納された下限値が収まらない場合（ステップＳｃ１０−Ｎｏ）、ＭＰＵ１６０は、変数ｉをインクリメントする（ステップＳｃ１３）。照度グループＩＤの分布が分散している等の理由により、頻度の最も高い照度範囲をサポートすることができる照度・色調モード対応テーブルを、ＮＶＲＡＭ１５０から検索することができなかった場合（変数ｉとＭとが等しくなった場合）、ＭＰＵ１６０は、ステップＳｃ５に処理を進める。
【００９２】
図１４は、オート・カラー・オプティマイザー機能を実行させるＭＰＵの動作手順を表すフローチャートである。オート・カラー・オプティマイザー機能を開始させるためのボタンが押下操作された場合、ＭＰＵ１６０は、センサー取得回数カウンターをゼロクリア（リセット）する。ここで、センサー取得回数カウンターとは、センサーから照度情報を取得した回数をカウントするためのカウンターである。
【００９３】
ＭＰＵ１６０は、選択した照度・色調モード対応テーブルに基づいて、オート・カラー・オプティマイザー機能を色調調整部１８０に実行させる。ＭＰＵ１６０は、照度・色調モード対応テーブルにおいて定められた初期色調モード（図６及び７を参照）を、色調調整部１８０に出力する。また、ＭＰＵ１６０は、色調モード判別状態変数を「未判別」に初期化する。ここで、色調モード判別状態変数とは、色調モードが確定しているか否かを表す変数である（ステップＳｄ１）。
【００９４】
ＭＰＵ１６０は、照度・色調モード対応テーブルにおいて定められた照度センサー取得間隔（図６及び７を参照）により規定された時間だけ、待機（ウエイト）状態となる。この待機状態において、ＭＰＵ１６０は、オート・カラー・オプティマイザー処理の実行条件が変更されたか否かを判定する（ステップＳｄ２）。
【００９５】
オート・カラー・オプティマイザー処理の実行条件が変更された場合（ステップＳｄ２−Ｙｅｓ）、ＭＰＵ１６０は、オート・カラー・オプティマイザー処理を終了させる。一方、オート・カラー・オプティマイザー処理の実行条件が変更されていない場合（ステップＳｄ２−Ｎｏ）、ＭＰＵ１６０は、照度情報をセンサー１２１から取得する。ここで、ＭＰＵ１６０は、センサー１２１にコマンドを出力し、コマンドに対する応答として照度情報を取得してもよい。ＭＰＵ１６０は、取得した照度情報をルクス値に変換する。また、ＭＰＵ１６０は、変換したルクス値を所定のログ画面及びメイン画面に表示する。また、ＭＰＵ１６０は、センサー取得回数カウンターを１インクリメントする。また、ＭＰＵ１６０は、変換したルクス値に基づいて、照度グループＩＤ毎の測定回数の分布を表す情報（図４を参照）を更新する（ステップＳｄ３）。
【００９６】
ＭＰＵ１６０は、センサー取得回数カウンターのカウント値が、照度・色調モード対応テーブルにおいて定められた判断履歴数（図６及び７を参照）により規定されたカウント値に達したか否かを判定する（ステップＳｄ４）。センサー取得回数カウンターのカウント値が、判断履歴数により規定されたカウント値に達していない場合（ステップＳｄ４−Ｎｏ）、ＭＰＵ１６０の処理は、ステップＳｄ２に戻る。
【００９７】
一方、センサー取得回数カウンターのカウント値が、判断履歴数により規定されたカウント値に達した場合（ステップＳｄ４−Ｙｅｓ）、ＭＰＵ１６０は、照度情報の変化が過渡状態にあるか否かを判定する。この判定処理において、ＭＰＵ１６０は、照度・色調モード対応テーブルにおいて定められた過渡状態判別期間（図６及び７を参照）が表す期間に取得された照度情報の最大値及び最小値を求める。
【００９８】
照度・色調モード対応テーブルにおいて定められた過渡状態判別閾値（図６及び７を参照）＜（最大値−最小値）が成り立つ場合、ＭＰＵ１６０は、照度情報の変化が過渡状態にあると判定する。一方、照度・色調モード対応テーブルにおいて定められた過渡状態判別閾値≧（最大値−最小値）が成り立つ場合、ＭＰＵ１６０は、照度情報の変化が安定状態にあると判定する（ステップＳｄ５）。
【００９９】
照度情報の変化が安定状態にある場合（ステップＳｄ６−Ｎｏ）、ＭＰＵ１６０の処理は、ステップＳｄ２に戻る。一方、照度情報の変化が過渡状態にある場合（ステップＳｄ６−Ｙｅｓ）、ＭＰＵ１６０の処理は、ステップＳｄ７に進む（ステップＳｄ６）。ＭＰＵ１６０は、判断履歴数だけ取得した照度情報の平均値（以下、「判別照度」という）を算出する（ステップＳｄ７）。
【０１００】
ＭＰＵ１６０は、色調モードが確定しているか否かを、色調モード判別状態変数に基づいて判定する。色調モード判別状態変数が「判別済み」である場合、ＭＰＵ１６０は、色調モードが確定していると判定する。一方、色調モード判別状態変数が「未判別」である場合、ＭＰＵ１６０は、色調モードが確定していないと判定する（ステップＳｄ８）。
【０１０１】
色調モードが確定している場合（ステップＳｄ８−Ｎｏ）、ＭＰＵ１６０は、確定している色調モードＩＤが表す照度範囲と、判別照度とを比較する。ここで、色調モードＩＤが表す照度範囲は、照度・色調モード対応テーブルにおいて定められた変化最小照度及び変化最大照度（図６及び７）により定まる。一方、色調モードが確定していない場合（ステップＳｄ８−Ｙｅｓ）、ＭＰＵ１６０の処理は、ステップＳｄ１３に進む（ステップＳｄ９）。
【０１０２】
現在の色調モードＩＤが表す照度範囲に判別照度がある場合、ＭＰＵ１６０は、変化なしと判定する。この場合、ＭＰＵ１６０の処理は、ステップＳｄ２に戻る。一方、現在の色調モードＩＤが表す照度範囲より判別照度が低い場合、ＭＰＵ１６０は、変化あり（暗）と判定する。この場合、ＭＰＵ１６０の処理は、ステップＳｄ１１に進む。また、現在の色調モードＩＤが表す照度範囲より判別照度が高い場合、ＭＰＵ１６０は、変化あり（明）と判定する。この場合、ＭＰＵ１６０の処理は、ステップＳｄ１１に進む（ステップＳｄ１０）。
【０１０３】
ＭＰＵ１６０の処理は、照度・色調モード対応テーブルにおいて定められた「変化の仕方」（図６及び７を参照）の値を判定する（ステップＳｄ１１）。「変化の仕方」が値０である場合（ステップＳｄ１１−Ｎｏ）、ＭＰＵ１６０は、色調モードを一気に切り替えると判定する。この場合、ＭＰＵ１６０の処理は、ステップＳｄ１３に進む。
【０１０４】
一方、「変化の仕方」が値１である場合（ステップＳｄ１１−Ｙｅｓ）、ＭＰＵ１６０は、ステップＳｄ１０における判定結果に応じて、色調モードを段階的に切り替える。ステップＳｄ１０において、変化あり（暗）と判定した場合、ＭＰＵ１６０は、現在の色調モードＩＤが表す照度範囲よりも一段階暗い照度範囲を表す色調モードＩＤに、色調モードＩＤを切り替える。また、ステップＳｄ１０において、変化あり（明）と判定した場合、ＭＰＵ１６０は、現在の色調モードＩＤが表す照度範囲よりも一段階明るい照度範囲を表す色調モードＩＤに、色調モードＩＤを切り替える（ステップＳｄ１２）。そして、ＭＰＵ１６０の処理は、ステップＳｄ１４に進む。
【０１０５】
ステップＳｄ８において色調モードが確定してない場合（ステップＳｄ８−Ｙｅｓ）、又は、ステップＳｄ１１において「変化の仕方」が値０である場合（ステップＳｄ１１−Ｎｏ）、ＭＰＵ１６０は、照度・色調モード対応テーブルにおいて定められた最大閾値に基づいて、判別照度に合致する色調モードＩＤに、色調モードＩＤを切り替える。ここで、ＭＰＵ１６０は、照度範囲が暗い順、すなわち、色調モードＩＤ０〜３の順に、色調モードＩＤ毎の最大閾値と判別照度とを比較し、これらの比較において、最初に最大閾値が判別照度以上となった色調モードＩＤに、色調モードＩＤを切り替える（ステップＳｄ１３）。
【０１０６】
そして、ＭＰＵ１６０は、色調モードを設定することが可能であるか否か、すなわち、切り替えた色調モードＩＤに対応する色調調整パラメーターを、オート・カラー・オプティマイザー処理に反映させることが可能であるか否かを判定する。ここで、色調モードを設定することが可能な状態とは、画像入力系統（ソース）が確定していない状態と、画像信号が確定していない状態と、画像信号が無信号（Ｎｏ  Ｓｉｇｎａｌ）又はサポートしていない画像信号（Ｎｏｔ  Ｓｕｐｐｏｒｔｅｄ）である状態との３つの状態以外の状態である。
【０１０７】
また、ＭＰＵ１６０は、色調モードが「オート」に設定されている状態である場合、切り替えた色調モードＩＤに対応する色調調整パラメーターを、オート・カラー・オプティマイザー処理に反映させることが可能であると判定する。ここで、色調モードが「オート」に設定されている状態とは、オート・カラー・オプティマイザー機能（オート・カラー・オプティマイザー処理）を実行するよう、操作入力によって指定されている状態である（ステップＳｄ１４）。
【０１０８】
色調モードを設定することが可能でない場合（ステップＳｄ１４−Ｎｏ）、ＭＰＵ１６０の処理は、ステップＳｄ１６に進む。一方、色調モードを設定することが可能である場合（ステップＳｄ１４−Ｙｅｓ）、ＭＰＵ１６０は、切り替えた色調モードＩＤに対応する色調調整パラメーターを、色調調整部１８０に出力する（ステップＳｄ１５）。これにより、画像表示装置１００は、周辺の照度に応じて切り替えた色調モードＩＤに対応する色調調整パラメーターに基づいて、画像の色調を調整することができる。
【０１０９】
ＭＰＵ１６０は、照度・色調モード対応テーブルにおいて定められた次変化間隔（変化後の固定期間）（図６及び７を参照）に基づいて、センサー取得回数カウンターを補正する。ここで、センサー取得回数カウンターのカウント値は、照度・色調モード対応テーブルにおいて定められた判断履歴数（変化判別照度取得回数）から、次変化間隔を減算した値に補正される。そして、ＭＰＵ１６０の処理は、ステップＳｄ２に戻る。
【０１１０】
以上のように、画像表示装置１００は、画像信号を取得する取得部１７０と、照度を測定するセンサー１２１と、センサー１２１が測定した照度が属する範囲として予め定められた複数の第１範囲と複数の色調との対応関係を表す複数の照度・色調モード対応テーブルを、これらの照度・色調モード対応テーブルが対応する照度の想定サポート照度（上限）から想定サポート照度（下限）までの範囲である第２範囲毎に予め記憶するＮＶＲＡＭ１５０と、センサー１２１が照度を測定した回数である測定回数を第１範囲毎に算出し、測定回数が多い順に複数の第１範囲を抽出し、抽出した複数の第１範囲の測定回数に基づいて照度・色調モード対応テーブルを選択するＭＰＵ１６０と、ＭＰＵ１６０が選択した照度・色調モード対応テーブルに基づいて、画像信号による画像の色調を調整する色調調整部１８０と、色調調整部１８０が色調を調整した画像を出力する画像出力部１９０と、を備える。
【０１１１】
画像表示装置は、照度範囲の測定回数に基づいて照度・色調モード対応テーブルを選択するので、これにより、実使用環境に常に適合した色調に調整した画像を表示することができる。画像表示装置は、１台でも複数の実使用環境に常に適合した色調に調整した画像を表示することができる。
【０１１２】
以上、この発明の実施形態について図面を参照して詳述してきたが、具体的な構成はこの実施形態に限られるものではなく、この発明の要旨を逸脱しない範囲の設計等も含まれる。
【０１１３】
例えば、上述した画像投写部５０は、透過型液晶ライトバルブ３０〜３２を用いて画像をスクリーンに投射するタイプであったが、反射型液晶ライトバルブを用いて投射するタイプであってもよいし、デジタルミラーデバイスを用いたＤＭＤ方式であってもよい。また、３つの透過型液晶ライトバルブ３０〜３２によりカラー画像を投射する３ＬＣＤ方式に限らず、１つの液晶ライトバルブを用いてＲＧＢに対応する画像を時分割表示してカラー画像を投射する方式、カラーホイールを備えた単板ＤＭＤ方式、及び３ＤＭＤ方式のいずれにも本発明を適用可能である。
【０１１４】
また、例えば、画像表示装置は、リモートコントローラー（不図示）が備えるセンサーが測定した照度を表す情報を、受信部を介して受信し、受信した情報に基づいて画像の色調を調整してもよい。このようにすれば、画像表示装置に入射する外光が遮断された場合でも、画像表示装置は、リモートコントローラーが備えるセンサーが測定した照度に基づいて、色調を調整することができる。
【０１１５】
なお、以上に説明した画像表示装置を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバやクライアントとなるコンピューターシステム内部の揮発性メモリー（ＲＡＭ）のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピューターシステムにすでに記録されているプログラムとの組み合わせで実現できるもの、いわゆる差分ファイル（差分プログラム）であってもよい。
【符号の説明】
【０１１６】
９…スクリーン、１０…照明部、１１…光源部、１２…第１フライアイレンズ、１３…第２フライアイレンズ、１４…光源、１５…リフレクター、１６，１７…レンズ、２０…色分離合成部、２１，２２…ダイクロイックミラー、２３，２４，２５…反射ミラー、２６，２７，２８…リレーレンズ、２９…リレー系、３０…赤色光用透過型液晶ライトバルブ（光変調素子）、３１…緑色光用透過型液晶ライトバルブ（光変調素子）、３２…青色光用透過型液晶ライトバルブ（光変調素子）、３３…クロスダイクロイックプリズム、４０…投写光学系、４８…投写レンズ、５０…画像投写部、１００…画像表示装置（プロジェクター）、１１０…受信部、１２０…操作部、１２１…センサー、１３０…ＲＡＭ、１４０…ＲＯＭ、１５０…ＮＶＲＡＭ、１６０…ＭＰＵ（選択部）、１７０…取得部、１８０…色調調整部、１９０…画像出力部
【図１】
2012145853.tif 000003
【図２】
2012145853.tif 000004
【図３】
2012145853.tif 000005
【図４】
2012145853.tif 000006
【図５】
2012145853.tif 000007
【図６】
2012145853.tif 000008
【図７】
2012145853.tif 000009
【図８】
2012145853.tif 000010
【図９】
2012145853.tif 000011
【図１０】
2012145853.tif 000012
【図１１】
2012145853.tif 000013
【図１２】
2012145853.tif 000014
【図１３】
2012145853.tif 000015
【図１４】
2012145853.tif 000016